(57)【要約】【課題】防水性に優れたエンジン発電機における出力端子の防水構造を提供する。【解決手段】エンジンと、このエンジンにより駆動される発電機とが防音ケース２に収装され、防音ケース２の側面２ａに、開閉ドア１０を備えた制御盤３と、この制御盤３の下方に位置する出力端子４とが配設され、出力端子４の手前には、出力端子４よりも上方に位置する水平軸回りに回動開閉する出力端子カバー６が設けられたエンジン発電機１において、雨水が出力端子カバー６に付着しないように、開閉ドア１０を下方まで延設させた形状としてこの開閉ドア１０により出力端子カバー６を覆う構成とした。【選択図】図１
0003135963.tif 000002
【実用新案登録請求の範囲】
【請求項１】
エンジンと、このエンジンにより駆動される発電機とが防音ケースに収装され、
この防音ケースの側面に、開閉ドアを備えた制御盤と、この制御盤の下方に位置する出力端子とが配設され、
前記出力端子の手前には、この出力端子よりも上方に位置する水平軸回りに回動開閉する出力端子カバーが設けられた構成からなるエンジン発電機において、
雨水が前記出力端子カバーに付着しないように、前記開閉ドアを下方まで延設させた形状としてこの開閉ドアにより前記出力端子カバーを覆う構成としたことを特徴とするエンジン発電機における出力端子の防水構造。
【請求項２】
閉じた状態の前記開閉ドアの下縁と前記防音ケースとの間に、出力ケーブル挿通用の間隙部が形成されていることを特徴とする請求項１に記載のエンジン発電機における出力端子の防水構造。
【考案の詳細な説明】
【技術分野】
【０００１】
本考案は、エンジン、発電機、その他の補機類等を内蔵する防音ケースの側面に出力端子を備えたエンジン発電機に関する。
【背景技術】
【０００２】
前記エンジン発電機には、操作性や視認性の観点から、各操作スイッチや計器類を備える制御盤を防音ケースの一側面において目線レベルに近い上部側にレイアウトし、発電機の出力端子をその下方にレイアウトした機種が存在し、その一例が特許文献１に記載されている。
【０００３】
図４は出力端子周りの従来構造の一例を示す側断面図である。出力端子３１は、防音ケース３２の側面に形成された凹部３３内に位置しており、出力端子３１の手前には開閉式の出力端子カバー３４が取り付けられる。出力端子カバー３４の開閉構造については、横開き式にすると開いた際に凹部３３の横に位置して出力ケーブル３５の結線時に作業者の腕と干渉しやすくなり、また、閉じた際に出力端子カバー３４の下方の間隙から出力ケーブル３５を引き出す構造上、下縁部３４ｂ周りを支点とする下開き式にすることも困難となる。そのため、出力端子カバー３４の開閉構造は、出力端子３１よりも上方に位置する水平な支軸３６回りに回動開閉する上開き式となっている。
【０００４】
図４（ａ）は、出力端子カバー３４を閉じた状態を示しており、雨水の浸入を防ぐため出力端子カバー３４の上縁部３４ａは防音ケース３２の側面の内側に重なって位置する仕様となっている。そのため、前記支軸３６は、防音ケース３２の側面と上縁部３４ａの重なり代部よりも下方に位置している。図４（ｂ）は、出力端子カバー３４を全開にした状態を示しており、下縁部３４ｂを上縁部３４ａよりも上方に位置させることで、出力端子３１の手前空間を大きく開放させ、出力ケーブル３５の結線作業をしやすくしている。
【特許文献１】実用新案登録第３１１７７９２号公報
【考案の開示】
【考案が解決しようとする課題】
【０００５】
出力端子カバー３４の上方には制御盤（図示せず）の保護として開閉ドア３７が取り付けられており、エンジン発電機を屋外に設置した場合には、開閉ドア３７の下縁部と防音ケース３２との隙間３８に雨水等が溜まりやすい。従来では、まとまった量の雨水が隙間３８に溜まった状態で、例えば先に出力端子カバー３４を図４（ｂ）のように全開状態にしておき、次いで開閉ドア３７を開けると、溜まった雨水が開閉ドア３７の動きに伴ってひとまとめに落下し、傾斜した出力端子カバー３４を伝って出力端子３１まで流れ落ちるというおそれがあった。
【０００６】
前記特許文献１には、出力端子カバー３４の両側縁部に亘って凹状の溝或いは凸状の段部を形成することにより、カバー表面における水の流れを遮断する技術が記載されているが、まとまった量の水が一度に出力端子カバー３４上に流れてきた場合には全ての水を受けきれず、一部の水が溝や段部を乗り越えて出力端子３１側まで流れるおそれがある。
【０００７】
本考案は以上のような課題を解決するために創作されたものであり、防水性に優れたエンジン発電機における出力端子の防水構造を提供することを目的としている。
【課題を解決するための手段】
【０００８】
前記課題を解決するため、本考案は、エンジンと、このエンジンにより駆動される発電機とが防音ケースに収装され、この防音ケースの側面に、開閉ドアを備えた制御盤と、この制御盤の下方に位置する出力端子とが配設され、前記出力端子の手前には、この出力端子よりも上方に位置する水平軸回りに回動開閉する出力端子カバーが設けられた構成からなるエンジン発電機において、雨水が前記出力端子カバーに付着しないように、前記開閉ドアを下方まで延設させた形状としてこの開閉ドアにより前記出力端子カバーを覆う構成としたことを特徴とするエンジン発電機における出力端子の防水構造とした。
【０００９】
本考案によれば、開閉ドアの介在により、出力端子カバーの表面に雨水が直接付着しないことはもちろん、出力端子カバーの上部の水溜り箇所が存在しなくなるため、出力端子カバーを開けたときに水滴が出力端子カバーを伝って出力端子まで流れ落ちるという従来の事象が生じない。
【００１０】
また、本考案は、閉じた状態の前記開閉ドアの下縁と前記防音ケースとの間に、出力ケーブル挿通用の間隙部が形成されていることを特徴とするエンジン発電機における出力端子の防水構造とした。
【００１１】
本考案によれば、開閉ドアを完全に閉めた状態で出力ケーブルを外部に引き出すことができる。
【考案の効果】
【００１２】
本考案によれば、出力端子に対する防水効果が向上する。
【考案を実施するための最良の形態】
【００１３】
図１、図２は、それぞれ本考案を適用したエンジン発電機の出力端子周りの外観斜視図、側断面図、図３は出力端子カバーを外した状態の出力端子周りの外観斜視図である。エンジン発電機１は、エンジン、発電機、その他の補機類（いずれも図示せず）等を内蔵する直方体形状の防音ケース２を備える。
【００１４】
防音ケース２の一の側面２ａにおいて、上部には各操作スイッチや計器類等を備える制御盤３が取り付けられており、制御盤３の下方に発電機の出力端子４が位置している。具体的には、出力端子４は側面２ａに形成された凹部５に取り付けられており、図１に示すように横方向に複数備えられている。
【００１５】
出力端子４の手前には開閉式の出力端子カバー６が取り付けられる。出力端子カバー６は横長矩形状を呈した平板状部材であり、図３に示すように、上縁近傍の両側縁には曲げ加工等により屈曲された支軸受部６ａが形成されている。支軸受部６ａには軸孔６ｂが穿設されている。防音ケース２側においては、凹部５の両側に螺子孔５ａが形成されており、螺子からなる支軸７を軸孔６ｂに挿通させて螺子孔５ａに螺合させることで、出力端子カバー６が支軸７回りに回動開閉する。支軸７は、出力端子４よりも上方に位置した水平軸を構成する。支軸７としてはこのような螺子に限られず、ピンなどでもよい。
【００１６】
図２（ａ）は、出力端子カバー６が鉛直状に位置して閉じ、出力端子４を外部から掩蔽した状態を示している。凹部５の底面は出力ケーブル８を案内するための傾斜面５ｃとして形成されており、出力端子カバー６を閉じた際には、傾斜面５ｃと出力端子カバー６の下縁との間には、出力ケーブル８を挿通させるための間隙部９が形成される。また、閉じた状態の出力端子カバー６は、防音ケース２の側面２ａよりも内側、つまり凹部５に位置する。図２（ｂ）は、出力端子カバー６を全開にした状態を示しており、カバーの下縁を上縁よりも上方に位置させることで、出力端子４の手前空間を大きく開放させ、出力ケーブル８の結線作業をしやすくしている。
【００１７】
なお、出力端子カバー６の下縁近傍の両側縁には、孔６ｃが穿設されたカバー固定部６ｄが突設されている。防音ケース２側においては、孔６ｃに対応した位置に螺子孔５ｂが形成されており、出力端子カバー６を閉じた際には図示しない固定螺子を孔６ｃを介して螺子孔５ｂに螺合することにより出力端子カバー６を防音ケース２に固定できるようになっている。
【００１８】
本考案は、雨水等が出力端子カバー６に付着しないように、本来であれば制御盤３のみの開け閉めとして機能する開閉ドア１０を下方まで延設させた形状とし、この開閉ドア１０により出力端子カバー６を覆う構成としたことを主な特徴とする。
【００１９】
開閉ドア１０は図示しないヒンジに支持されて横方向に回動開閉する横開き式となっており、閉じた際には防音ケース２の側面２ａと略面一に連なり、閉状態の出力端子カバー６を覆う。開閉ドア１０の上部、つまり制御盤３と対向する部位には、開閉ドア１０を閉めたまま制御盤３を視認できるように透明パネル１１（ガラスや合成樹脂等）が取り付けられている。
【００２０】
また、図２（ａ）に示すように、閉じた状態の開閉ドア１０の下縁と防音ケース２（具体的には傾斜面５ｃ）との間には、出力ケーブル８を挿通させるための間隙部１２が形成される。
【００２１】
以上のように、制御盤３用の開閉ドア１０により出力端子カバー６を覆う構成とすれば、開閉ドア１０の介在により、出力端子カバー６の表面に雨水が直接付着しないことはもちろん、出力端子カバー６の上部の水溜り箇所が存在しなくなるため、図２（ｂ）に示すように、出力端子カバー６を開けたときに水滴が出力端子カバー６を伝って出力端子４まで流れ落ちるという従来の事象が生じない。したがって、出力端子４に対する防水効果が向上する。出力端子カバー６においては、特許文献１に記載の技術のように凹状の溝や凸状の段部を設ける必要がなくなり、簡易な加工工程のみのカバー形状で済む。
【００２２】
さらに、開閉ドア１０と出力端子カバー６とで二重の遮蔽構造となるので、防音ケース２内の各機器の騒音も低減できる。
【００２３】
また、出力ケーブル挿通用の間隙部１２を形成することにより、開閉ドア１０を完全に閉めた状態で出力ケーブル８を外部に引き出すことができる。
【００２４】
以上、本考案について好適な実施形態を説明した。本考案では、開閉ドア１０、出力端子カバー６の形状等については図面に記載したものに限られず、様々な設計変更が可能である。
【図面の簡単な説明】
【００２５】
【図１】本考案を適用したエンジン発電機の出力端子周りの外観斜視図である。
【図２】本考案を適用したエンジン発電機の出力端子周りの側断面図である。
【図３】出力端子カバーを外した状態の出力端子周りの外観斜視図である。
【図４】出力端子周りの従来構造の一例を示す側断面図である。
【符号の説明】
【００２６】
１    エンジン発電機
２    防音ケース
２ａ  側面
３    制御盤
４    出力端子
５    凹部
６    出力端子カバー
７    支軸（水平軸）
８    出力ケーブル
１０    開閉ドア
１２    間隙部
【図１】
0003135963.tif 000003
【図２】
0003135963.tif 000004
【図３】
0003135963.tif 000005
【図４】
0003135963.tif 000006